(57)【特許請求の範囲】
【請求項１】
左チャネルと右チャネルの音声信号を入力し、左チャネルと右チャネルの音声信号を加算する加算器と減算する減算器、
加算器の出力を入力し、その入力音声信号の有音／無音の判別をする有音／無音判別部、
同じく加算器の出力を入力し、有音／無音判別部からの無音判別信号で加算器出力の無音信号を廃棄する無音信号廃棄部、
加算器と減算器の出力を入力し両出力の差分値を算出する差分値計算部、
差分値計算部からの差分値を入力し、差分値が所定値以上のときは伸長処理をする指示信号を、差分値が所定値未満のときは無処理の指示信号を出力する速度制御部、
無音信号廃棄部から有音判定の音声信号を入力し、速度制御部からの指示信号が伸長処理のときは、無音信号廃棄部から有音判定の音声信号に対し音声ピッチを変えずに音声信号の伸長処理を施し、無処理のときは、無音信号廃棄部から有音判定の音声信号をそのまま出力する速度変換部、
速度変換部の出力音声信号を音声蓄積部に蓄積し、蓄積された音声信号を左チャネルと右チャネルの出力信号端子に渡す出力音声制御部を備えたことを特徴とする話速変換装置。
【請求項２】
上記出力音声制御部は音声蓄積部に蓄積された左チャネルと右チャネルの出力信号端子に渡す音声信号の残量を示す残量情報信号を上記速度変換部に渡す構成にされ、
上記速度変換部は上記出力音声制御部から受け取った残量情報信号の残量が所定出力時間分以上のとき、上記無音信号廃棄部から受け取りそのまま出力すべき音声信号を圧縮処理して出力音声制御部へ渡す構成にされたことを特徴とする請求項１記載の話速変換装置。
【請求項３】
上記加算器と減算器が入力する音声信号はテレビジョン放送局からの音声信号であり、請求項１または請求項２記載の話速変換装置を音声再生部に備えたことを特徴とするテレビジョン受像機。
【請求項４】
左チャネルと右チャネルの音声信号を入力し、左チャネルと右チャネルの音声信号を加算する加算工程と減算する減算工程、
加算工程の出力を入力し、その入力音声信号の有音／無音の判別をする有音／無音判別工程、
同じく加算工程の出力を入力し、有音／無音判別工程からの無音判別信号で加算工程出力の無音信号を廃棄する無音信号廃棄工程、
加算工程と減算工程の出力を入力し両出力の差分値を算出する差分値計算工程、
差分値計算工程からの差分値を入力し、差分値が所定値以上のときは伸長処理をする指示信号を、差分値が所定値未満のときは無処理の指示信号を出力する速度制御工程、
無音信号廃棄工程から有音判定の音声信号を入力し、速度制御工程からの指示信号が伸長処理のときは、無音信号廃棄工程から有音判定の音声信号に対し音声ピッチを変えずに音声信号の伸長処理を施し、指示信号が無処理のときは、無音信号廃棄工程から有音判定の音声信号をそのまま出力する速度変換工程、
速度変換工程の出力音声信号を音声蓄積部に蓄積し、蓄積された音声信号を左チャネルと右チャネルの出力信号端子に渡す出力音声制御工程、
を備えたことを特徴とする話速変換方法。
【発明の詳細な説明】
【技術分野】
【０００１】
この発明は音声信号の再生においてその音声ピッチを変えずにゆっくり再生し、受聴者に対して聴き取り易くする話速変換技術に関するものである。
【背景技術】
【０００２】
音声信号を再生する時に、話者の音声ピッチを変えないでゆっくり音声を再生し、受聴者に対して聴き取り易くする技術として、例えば、特開２００１−１０９４９９号公報の話速変換装置がある。この話速変換装置は、入力音声信号よりピッチ周期を検出するピッチ周期検出手段と、ピッチ周期検出手段が抽出したピッチ周期に基づいて所定のピッチ周期の繰り返し回数を計数する計数手段と、ピッチ周期検出手段で検出したピッチ周期と、計数手段で計数した繰り返し回数との積と所定の閾値とを比較する比較判定手段とを具備し、比較判定手段の判定結果に基づいて話速変換を行うもので、入力された音声信号が早口で話したときの音声信号かどうかを判断し、早口で話したときの音声信号に対してのみ話速変換処理によってゆっくりした音声信号に変換する。
【０００３】
【特許文献１】特開２００１−１０９４９９号公報
【発明の開示】
【発明が解決しようとする課題】
【０００４】
以上のように、従来の話速変換装置は入力音声信号の話速を検出し、早口で話したときの音声信号に対してのみ話速変換処理によってゆっくりした音声信号に変換するものであり、音声と映像との対応関係については何ら考慮されていない。この従来の話速変換装置をテレビジョン受像装置（以降テレビと記す）に適用する場合は有音で早口の音声信号に対して伸長処理を施し、再生音声の時間的な遅れは、無音区間の音声信号を廃棄することで、吸収する仕組みが考えられる。
【０００５】
しかしながら、話速変換装置に入力される音声信号が、例えば、テレビにおけるステレオ放送のニュース番組であり現場中継音声や街頭インタビュー収録音声など、話者音声に加え、背景音が含まれる場合や、ステレオ形式で放送されるＣＭ(Commercial message)など、背景音が常に鳴っている場合においては、音声信号を無音と判別することは難しく、無音信号の廃棄処理の実行は困難となる。このようなケースでは、音声信号に対する伸長処理の影響で、映像に対して話者音声の遅れが一方的に増えていく形となり、テレビ視聴者が違和感を覚えてしまう。
【０００６】
この発明は、かかる問題点を解決するためになされたもので、音声信号の速度変換処理の実行に先立って、入力された左チャネル音声と右チャネル音声、それぞれの音声信号の相違度を求め、相違度が大きいと判断された場合においては、音声信号の速度変換処理を実行しない機能を備えることで、テレビに適用した場合、映像に対する音声の遅れを軽減し、テレビ視聴者が違和感を覚えることが少ない話速変換装置を提供することを目的としている。
【課題を解決するための手段】
【０００７】
この発明に係る話速変換装置は
左チャネルと右チャネルの音声信号を入力し、左チャネルと右チャネルの音声信号を加算する加算器と減算する減算器、
加算器の出力を入力し、その入力音声信号の有音／無音の判別をする有音／無音判別部、
同じく加算器の出力を入力し、有音／無音判別部からの無音判別信号で加算器出力の無音信号を廃棄する無音信号廃棄部、
加算器と減算器の出力を入力し両出力の差分値を算出する差分値計算部、
差分値計算部からの差分値を入力し、差分値が所定値以上のときは伸長処理をする指示信号を、差分値が所定値未満のときは無処理の指示信号を出力する速度制御部、
無音信号廃棄部から有音判定の音声信号を入力し、速度制御部からの指示信号が伸長処理のときは、無音信号廃棄部から有音判定の音声信号に対し音声ピッチを変えずに音声信号の伸長処理を施し、無処理のときは、無音信号廃棄部から有音判定の音声信号をそのまま出力する速度変換部、
速度変換部の出力音声信号を音声蓄積部に蓄積し、蓄積された音声信号を左チャネルと右チャネルの出力信号端子に渡す出力音声制御部を備える。
【発明の効果】
【０００８】
この発明に係る話速変換装置によれば、話速変換装置における音声の速度変換処理の実行に先立って、話速変換装置に入力された左右２チャネルの音声信号の特徴を分析し、その結果に基づいて、話速変換装置に入力された音声信号を伸長する、或いは伸長しない、の切り換えが可能となり、入力された全ての音声信号を伸長処理するものに比し例えば、映像に対する音声の遅れを軽減できる効果がある。
【発明を実施するための最良の形態】
【０００９】
以下、この発明を実施するための最良の形態を説明する。
実施の形態１．
【００１０】
この発明を実施するための最良な実施の形態１に係る話速変換装置について図面を参照しながら説明する。図１は、この発明を実施するための最良な実施の形態１に係る話速変換装置の構成を示す機能ブロック図である。
この図において、１は左チャネル入力信号端子、２は右チャネル入力信号端子、３は加算器、４は利得調整器、５は有音／無音判別部、６は無音信号廃棄部、７は速度変換部、８は出力音声制御部、９は左チャネル出力信号端子、１０は右チャネル出力信号端子、１１は減算器、１２は和信号レベル計算部、１３は差信号レベル計算部、１４は差分値計算部、１５は速度制御部である。
【００１１】
次に、この発明を実施するための最良な実施の形態１に係る話速変換装置の動作について、図面を参照しながら説明する。
【００１２】
左チャネルの音声信号は、左チャネル入力信号端子１から、右チャネルの音声信号は、右チャネル入力信号端子２から、それぞれ話速変換装置に入力され、加算器３において左チャネルと右チャネルの音声信号を加算した加算信号を、減算器１１において左チャネルの音声信号から右チャネルの音声信号を減算した減算信号を生成する。
【００１３】
次に、加算信号及び減算信号は、それぞれ利得調整器４において利得の調整が施され、利得調整された加算信号は、和信号レベル計算部１２と有音／無音判別部５及び無音信号廃棄部６に渡される。一方、利得調整された減算信号は、差信号レベル計算部１３に渡される。ここで、利得調整器４における利得の調整値は０．５倍である。また、以降の説明では利得調整された加算信号のことをミキシング信号と呼ぶことにする。
【００１４】
和信号レベル計算部１２は、ミキシング信号の信号レベル（以降の説明では加算信号レベルと記す）の計算を行い、結果を差分値計算部１４に渡す。差信号レベル計算部１３は、利得調整器４において利得調整された減算信号の信号レベル（以降の説明では減算信号レベルと記す）の計算を行い、結果を差分値計算部１４に渡す。
【００１５】
差分値計算部１４は、まず、加算信号レベルから減算信号レベルを減算し、加算信号レベルと減算信号レベルの差分値の計算を行う。次に、計算した差分値と予め定めておいた閾値との比較を行い、差分値が閾値よりも小さい場合は、入力された音声信号を背景音と判断し、速度制御部１５に対し、入力された音声信号は背景音と通知する。一方、差分値が閾値よりも大きい場合は、入力された音声信号を話者音声と判断し、速度制御部１５に対し、入力された音声信号は話者音声と通知する。ここで、加算信号レベルと減算信号レベルから、入力された音声信号が、話者音声、背景音の何れであるかを判断できる理由について、図２、図３及び図４を用いて説明を加えておく。
【００１６】
図２は、ステレオ信号の時間波形の一例を示したもので、縦軸上側が左チャネルの音声信号の振幅レベル、縦軸下側が右チャネルの音声信号の振幅レベル、横軸は時間の経過を表している。また、横軸下欄に記載した、話者音声＋背景音、背景音のみ、話者音声のみ、の表記は、ステレオ信号における話者音声＋背景音の区間と、背景音のみの区間と、話者音声のみの区間との対応関係を示したものである。
【００１７】
図３は、図２に示したステレオ音声信号の加算信号、減算信号の時間波形を示したもので、縦軸上側が加算信号の振幅レベル、縦軸下側が減算信号の振幅レベル、横軸は時間の経過を表している。また、横軸下欄に記載した、話者音声＋背景音、背景音のみ、話者音声のみ、の表記は、図２と同様、話者音声＋背景音の区間と、背景音のみの区間と、話者音声のみの区間との対応関係を示している。
【００１８】
図３で着目すべき点は、話者音声＋背景音の区間と話者音声のみの区間においては、加算信号の振幅レベルに対し、減算信号の振幅レベルがかなり小さくなっているのに対し、背景音のみの区間においては、加算信号の振幅レベルと減算信号の振幅レベルが、ほぼ同じである点である。これは、話者音声＋背景音の区間と話者音声の区間では、ほぼ同じ信号成分が左チャネルと右チャネルに割り振られているのに対して、背景音のみの区間では、ステレオ構成での臨場感を得るために、左チャネルと右チャネルにそれぞれ異なる信号成分を持たせる、あるいは同じ信号成分であっても位相をずらすなど、音の作り方に工夫を加えている理由が考えられる。この発明では、このステレオ音声信号の特徴に基づいて、話速変換装置に入力された音声信号を伸長するかしないかの判断を持たせたことを特徴としている。
【００１９】
図４は、図３に示した加算信号の音圧レベル、減算信号の音圧レベル、その差分値の音圧レベルについてデシベル表記で示したものである。また、横軸下欄に記載した、話者音声＋背景音、背景音のみ、話者音声のみ、の表記は、図２と同様、話者音声＋背景音の区間と、背景音のみの区間と、話者音声のみの区間との対応関係を示している。
【００２０】
背景音のみの区間における差分値の音圧レベルは、１０ｄＢより小さい値を取ることから、差分値計算部１４の説明にて挙げた予め定めた閾値の値は、１０ｄＢに設定すればよい。なお、話者音声＋背景音の区間、話者音声のみの区間においても、差分値が１０ｄＢを下回る場合があるが、これは話者音声が存在しない部分、即ち、背景音部分、或いは無音信号部分に相当する。背景音部分については音声信号の伸長処理は不要であり、また、無音信号部分については、後段の有音／無音判別部５にて音声信号が廃棄されるため問題無い。引き続き、話速変換装置の動作説明に戻る。
【００２１】
有音／無音判別部５は、利得調整器４から渡されたミキシング信号が、有音なのか無音なのかの判別を行い、その判別結果を無音信号廃棄部６に渡す。有音か無音かの判別は利得調整器４から渡されたミキシング信号についてパワー、振幅平均値、振幅累積値などの信号強度が、予め設定された閾値と比較され閾値より大きいか、小さいかで判別し、閾値以上のときは有音、閾値より小さいときは無音とする。
【００２２】
無音信号廃棄部６は、有音／無音判別部５から渡された、有音／無音の判別結果が有音であった場合は、利得調整器４から渡されたミキシング信号をそのまま速度変換部７に渡す。一方、有音／無音判別部５から渡された判別結果が無音であった場合は、次の２つの処理に分かれる。１つは、後述する出力音声制御部８から渡される音声信号の蓄積有無の判定情報が蓄積音声有りの内容であった場合は、利得調整器４から渡されたミキシング信号を廃棄し、速度変換部７に渡さない。一方、後述する出力音声制御部８から渡される音声信号の蓄積有無の判定情報が蓄積音声無しの内容であった場合は、利得調整器４から渡されたミキシング信号をそのまま速度変換部７に渡す。
ここで、出力音声制御部８から渡される音声信号の蓄積有無の判定情報に基づいてミキシング信号を廃棄処理する／しないと、処理を変更している理由は、例えば、音声信号に無音区間が続いた場合に、ミキシング信号を廃棄し続けることによって、出力音声信号が無くなることを避けるためである。
【００２３】
速度制御部１５は、差分値計算部１４から渡された、入力された音声信号が背景音の通知、或いは入力された音声信号が話者音声とする通知を受け、入力された音声信号が話者音声とする通知の場合は、ゆっくりの速度に変換を行う内容の指示信号を速度変換部７に渡す。一方、入力された音声信号が背景音とする通知の場合は、速度の変換を行わない内容の指示信号を速度変換部７に渡す。
【００２４】
速度変換部７は、無音信号廃棄部６からミキシング信号が渡された場合のみ動作し、速度制御部１５から渡された指示信号がゆっくりの速度に変換を行う内容の場合は、音声ピッチを変えずに無音信号廃棄部６から渡されたミキシング信号の伸長処理を施して、出力音声制御部８へ渡す。一方、速度制御部１５から渡された指示信号が速度の変換を行わない内容の場合は、無音信号廃棄部６から渡されたミキシング信号をそのまま出力音声制御部８へ渡す。
【００２５】
ここで、速度変換部７における音声信号の伸長処理を図６を用いて説明する。
処理対象となる音声信号のピッチ周期２周期分の音声波形を切り出し、前のピッチ周期１周期分の音声波形Ａに１から０まで直線的に変化する重み係数を乗じて音声波形Ａ’を生成する。また後の音声波形Ｂに０から１まで直線的に変化する重み係数を乗じて音声波形Ｂ’を生成する。そしてこの生成された音声波形Ａ’と音声波形Ｂ’を夫々を足し合わせることによりピッチ周期１周期分の音声波形Ｃを得る。この得られた音声波形Ｃを音声波形Ａと音声波形Ｂの間に挿入することにより音声信号の伸長処理を行う。
【００２６】
出力音声制御部８は、速度変換部７から受け取った音声信号を、予め用意しておいたメモリに蓄積する。そして、メモリに蓄積され、出力待機中の音声信号を、時間的に古いものから順に左チャネル出力信号端子９と右チャネル出力信号端子１０に同じ信号を渡し、最終的に話速変換装置から音声信号が出力される。また、一連の処理後、メモリに音声信号が蓄積されていれば、音声信号の蓄積有無の判定情報として、蓄積音声有りの内容を無音信号廃棄部６に渡す。一方、メモリに音声信号が蓄積されていなければ、音声信号の蓄積有無の判定情報として、蓄積音声無しの内容を無音信号廃棄部６に渡す。
【００２７】
以上詳しく説明したように、この発明を実施するための最良な実施の形態１によれば、話速変換装置における音声の速度変換処理の実行に先立って、話速変換装置に入力された左右２チャネルの音声信号の特徴を分析し、その結果に基づいて、話速変換装置に入力された音声信号を伸長する、或いは伸長しない、の切り換えが可能となり、入力された音声信号を全て伸長する場合に比べ映像に対する音声の遅れを軽減できる効果がある。
【００２８】
実施の形態２．
この発明を実施するための最良な実施の形態２に係る話速変換装置について図面を参照しながら説明する。図５は、この実施の形態２に係る話速変換装置の構成を示す機能ブロック図であり、７ａは速度変換部Ａ、８ａは出力音声制御部Ａである。なお、図中、図１に示した実施の形態１の話速変換装置と同一又は相当部分は、同一符号を付し説明を省略する。
【００２９】
次に、実施の形態２に係る話速変換装置の動作について、図面を参照しながら説明する。なお、この実施の形態２は、図１に示した実施の形態１の一部の構成要素の機能のみを変更したものであり、変更の無い構成要素の説明は動作理解に必要な範囲に留め、詳細説明は割愛する。
【００３０】
左チャネルの音声信号は、左チャネル入力信号端子１から、右チャネルの音声信号は、右チャネル入力信号端子２から、それぞれ話速変換装置に入力され、加算器３において左チャネルと右チャネルの音声信号を加算した加算信号を、減算器１１において左チャネルの音声信号から右チャネルの音声信号を減算した減算信号を生成する。
【００３１】
次に、加算信号及び減算信号は、それぞれ利得調整器４において利得の調整が施され、利得調整された加算信号は、和信号レベル計算部１２と有音／無音判別部５及び無音信号廃棄部６に渡される。一方、利得調整された減算信号は、差信号レベル計算部１３に渡される。ここで、利得調整器４における利得の調整値は０．５倍である。また、以降の説明では利得調整された加算信号のことをミキシング信号と呼ぶことにする。
【００３２】
和信号レベル計算部１２は、ミキシング信号の信号レベル（以降の説明では加算信号レベルと記す）の計算を行い、結果を差分値計算部１４に渡す。差信号レベル計算部１３は、利得調整器４において利得調整された減算信号の信号レベル（以降の説明では減算信号レベルと記す）の計算を行い、結果を差分値計算部１４に渡す。
【００３３】
差分値計算部１４は、まず、加算信号レベルから減算信号レベルを減算して、加算信号レベルと減算信号レベルの差分値の計算を行う。次に、差分値と予め定めておいた閾値との比較を行い、差分値が閾値よりも小さい場合は、入力された音声信号を背景音と判断し、速度制御部１５に対し入力された音声信号は背景音と通知する。一方、差分値が閾値よりも大きい場合は、入力された音声信号を話者音声と判断し、速度制御部１５に対し入力された音声信号は話者音声と通知する。
【００３４】
有音／無音判別部５は、利得調整器４から渡されたミキシング信号が、有音なのか無音なのかの判別を行い、その判別結果を無音信号廃棄部６に渡す。有音か無音かの判別は実施の形態１と同様に利得調整器４から渡されたミキシング信号についてパワー、振幅平均値、振幅累積値などの信号強度が、予め設定された閾値と比較され閾値より大きいか、小さいかで判別し、閾値以上のときは有音、閾値より小さいときは無音とする。
無音信号廃棄部６は、有音／無音判別部５から渡された、有音／無音の判別結果が有音であった場合は、利得調整器４から渡されたミキシング信号をそのまま速度変換部Ａ７ａに渡す。一方、有音／無音判別部５から渡された判別結果が無音であった場合は、次の２つの処理に分かれる。１つは、後述する出力音声制御部Ａ８ａから渡される音声信号の蓄積有無の判定情報が蓄積音声有りの内容であった場合は、利得調整器４から渡されたミキシング信号を廃棄し、速度変換部Ａ７ａに渡さない。一方、後述する出力音声制御部Ａ８ａから渡される音声信号の蓄積有無の判定情報が蓄積音声無しの内容であった場合は、利得調整器４から渡されたミキシング信号をそのまま速度変換部７に渡す。
【００３５】
速度制御部１５は、差分値計算部１４から渡された、入力音声信号が背景音の通知、或いは入力音声信号が話者音声とする通知を受け、入力された音声信号が話者音声とする通知の場合は、ゆっくりの速度に変換を行う内容の指示信号を速度変換部Ａ７ａに渡す。一方、入力された音声信号が背景音とする通知の場合は、速度の変換を行わない内容の指示信号を速度変換部Ａ７ａに渡す。
【００３６】
速度変換部Ａ７ａは、無音信号廃棄部６からミキシング信号が渡された場合のみ動作し、速度制御部１５から渡された指示信号がゆっくりの速度に変換を行う内容の場合は、音声ピッチを変えずに無音信号廃棄部６から渡されたミキシング信号の伸長処理を施して、出力音声制御部Ａ８ａへ渡す。
速度変換部Ａ７ａにおける音声信号の伸長処理は実施の形態１と同様に音声信号の２ピッチ周期分の音声波形を切り出し、前の１ピッチ周期分の音声波形Ａに１から０まで直線的に変化する重み係数を、後の音声波形Ｂに０から１まで直線的に変化する重み係数を乗じて夫々の音声波形を生成し、この生成された夫々の音声波形を足し合わせて１ピッチ周期分の音声波形Ｃを得、この得られた音声波形Ｃを音声波形Ａと音声波形Ｂの間に挿入することにより行う。
【００３７】
一方、速度制御部１５から渡された指示信号が速度の変換を行わない内容の場合は、実施の形態１において説明を行った図１の速度変換部７と動作が異なる。まず、後述する出力音声制御部Ａ８ａから、メモリに蓄積された音声信号の残量の情報を示す残量情報信号を貰い、音声残量が予め定めた一定量、例えば音声信号２秒分の相当量を超えている場合は、映像に対して音声の遅れが大きいと判断し、音声ピッチを変えずに無音信号廃棄部６から渡されたミキシング信号の圧縮処理を施して出力音声制御部Ａ８ａへ渡す。一方、音声残量が音声信号２秒分の相当量を下回っている場合は、映像に対して音声の遅れは小さいと判断し、無音信号廃棄部６から渡されたミキシング信号をそのまま出力音声制御部Ａ８ａへ渡す。
【００３８】
ここで、速度変換部Ａ７ａにおけるミキシング信号の圧縮処理を伸長処理で用いた図６を使って説明する。処理対象となる音声信号のピッチ周期２周期分の音声波形を切り出し、ピッチ周期１周期分の音声波形Ａに１から０まで直線的に変化する重み係数を乗じて音声波形Ａ’を生成し、また残りの音声波形Ｂに０から１まで直線的に変化する重み係数を乗じて音声波形Ｂ’を生成する。そしてこの音声波形Ａ’と音声波形Ｂ’を夫々を足し合わせることによりピッチ周期１周期分の音声波形Ｃを得て、この音声波形Ｃを音声波形Ａと音声波形Ｂの２ピッチ周期分の代わりに挿入することにより音声信号の圧縮処理を行う。
【００３９】
出力音声制御部Ａ８ａは、速度変換部Ａ７ａから受け取った音声信号を、予め用意しておいたメモリに蓄積する。そして、メモリに蓄積され、出力待機中の音声信号を、時間的に古いものから順に左チャネル出力信号端子９と右チャネル出力信号端子１０に同じ信号を渡し、最終的に話速変換装置から音声信号が出力される。一連の処理後、メモリに蓄積された音声信号の残量の情報を示す残量情報信号を速度変換部Ａ７ａに渡しておく。また、メモリに音声信号が蓄積されていれば、音声信号の蓄積有無の判定情報として、蓄積音声有りの内容を無音信号廃棄部６に渡す。一方、メモリに音声信号が蓄積されていなければ、音声信号の蓄積有無の判定情報として、蓄積音声無しの内容を無音信号廃棄部６に渡す。
【００４０】
以上詳しく説明したように、この発明を実施するための最良な実施の形態２によれば、話速変換装置における音声の速度変換処理の実行に先立って、話速変換装置に入力された左右２チャネルの音声信号の特徴を分析し、その結果に基づいて、話速変換装置に入力された音声信号を伸長する、或いは伸長しない、の切り換えが可能となり、入力された音声信号を全て伸長する場合に比べ映像に対する音声の遅れを軽減させることができる効果がある。
【００４１】
また、この発明を実施するための最良な実施の形態２によれば、話速変換装置に入力された音声信号を伸長しない判断とした場合において、そのまま音声信号を出力する、或いは音声信号を圧縮する、の切り換えが可能となり、特に、映像に対して音声の遅れが大きい場合は、音声の遅れを更に軽減できる効果がある。
【産業上の利用可能性】
【００４２】
この発明は、特にテレビジョン受像機に適用されることで、テレビジョン受像機の話者音声をその音声ピッチを変えずにゆっくり再生することができ、受聴者に対して聴き取り易いテレビジョン受像機が提供できる。
【図面の簡単な説明】
【００４３】
【図１】この発明の実施の形態１に係る話速変換装置の構成を示す機能ブロック図である。
【図２】ステレオ音声信号の時間波形の一例を示す波形図である。
【図３】ステレオ音声信号の加算信号、減算信号の時間波形を示す波形図である。
【図４】加算信号、減算信号、その差分値の音圧レベルをデシベル表記で示す波形図である。
【図５】この発明を実施するための実施の形態２に係る話速変換装置の構成を示す機能ブロック図である。
【図６】速度変換部による話速変換処理方法の説明図である。
【符号の説明】
【００４４】
１；左チャネル入力信号端子、２；右チャネル入力信号端子、３；加算器、４；利得調整器、５；有音／無音判別部、６；無音信号廃棄部、７；速度変換部、７ａ；速度変換部Ａ、８；出力音声制御部、８ａ；出力音声制御部Ａ、９；左チャネル出力信号端子、１０；右チャネル出力信号端子、１１；減算器、１２；和信号レベル計算部、１３；差信号レベル計算部、１４；差分値計算部、１５；速度制御部。
【図１】
0004680122.tif 000002
【図２】
0004680122.tif 000003
【図３】
0004680122.tif 000004
【図４】
0004680122.tif 000005
【図５】
0004680122.tif 000006
【図６】
0004680122.tif 000007